(57)【要約】【課題】表示装置に表示させる映像信号を変更しても、インデックス信号を確実に次段の表示手段ヘ出力することができる表示装置を提供する。【解決手段】ローカル映像信号Ｓ１０７がローカル専用入力部１０２に入力され、インデックス映像信号Ｓ１０８がインデックス専用入力部１０３に入力されると、表示映像選択部１０４が、制御部１０５からの制御信号Ｓ１０９によって例えばローカル映像信号Ｓ１０７を選択信号Ｓ１１０として映像表示部１０６へ送信する。これにより、映像表示部１０６はローカル映像信号Ｓ１０７を表示する。一方、インデックス専用入力部１０３は、映像表示部１０６が表示した映像信号とは無関係にインデックス映像信号Ｓ１０８を出力信号Ｓ１１１として次段の表示装置へ送信する。よって、表示装置１０１に表示される表示映像に関係なく、次段の表示装置へインデックス映像信号のみを出力することができる。【選択図】　　　　図１
2004029434.tif 000002
【特許請求の範囲】
【請求項１】
複数の映像信号を入力して所望の映像信号を画面に表示させる映像表示装置において、
前記画面に表示された映像信号の種類に関わらず、任意に選択された映像信号が外部に出力されることを特徴とする映像表示装置。
【請求項２】
複数の映像信号を入力して所望の映像信号を画面に表示させる映像表示装置において、
複数の映像信号を入力する映像信号入力手段と、
前記映像信号入力手段に入力された複数の映像信号から画面に表示させるための映像信号を選択する表示映像選択手段と、
前記表示映像選択手段が選択した映像信号を画面に表示させる表示手段とを備え、
前記映像信号入力手段は、前記表示手段に表示された映像信号に関わらず、あらかじめ設定した映像信号を外部へ出力することを特徴とする映像表示装置。
【請求項３】
複数の映像信号を入力して所望の映像信号を画面に表示させる映像表示装置において、
入力された複数の映像信号より画面に表示させるための映像信号を選択する表示映像選択手段と、
前記表示映像選択手段が選択した映像信号を画面に表示させる表示手段と、
入力された複数の映像信号より所望の映像信号を選択して外部に出力させる出力信号選択手段とを備え、
前記出力信号選択手段は、前記表示手段に表示された映像信号に関わらず、あらかじめ設定した映像信号を外部へ出力することを特徴とする映像表示装置。
【請求項４】
さらに、入力された複数の映像信号の種類を判別する映像信号判別手段を備え、
前記出力信号選択手段は、前記映像信号判別手段が判別した映像信号を外部へ出力することを特徴とする請求項３に記載の映像表示装置。
【請求項５】
前記映像信号判別手段は、任意の選択条件を設定することにより、映像信号の判別内容を自由に設定できることを特徴とする請求項４に記載の映像表示装置。
【請求項６】
入力された複数の映像信号にはあらかじめ設定したインデックス信号を有するインデックス映像信号が含まれ、
前記映像信号入力手段は、前記表示手段に表示された映像信号に関わらず、前記インデックス映像信号を外部へ出力することを特徴とする請求項２に記載の映像表示装置。
【請求項７】
入力された複数の映像信号にはあらかじめ設定したインデックス信号を有するインデックス映像信号が含まれ、
前記出力信号選択手段は、前記表示手段に表示された映像信号に関わらず、前記インデックス映像信号を外部へ出力することを特徴とする請求項３〜請求項５の何れかに記載の映像表示装置。
【発明の詳細な説明】
【０００１】
【発明の属する技術分野】
本発明は、複数の映像入力端子と映像出力端子を備え、且つインデックス機能を有する映像表示装置（以下、単に表示装置という）に関するものである。
【０００２】
【従来の技術】
インデックス機能を持つ表示装置は、例えば、特開２０００−３５２９６２号公報などに開示されている。この技術によれば、複数のページを有する画像信号の所定の位置に表示装置を判別するためのインデックス信号の一部を置き換えて付加することにより、表示装置側ではインデックス信号を判別して映像を表示すべきフレームを任意に選択することができる。図５は、インデックス映像信号を出力する従来の表示装置を示す構成図である。つまり、図５は、特開２０００−３５２９６２号公報などに開示されている従来のインデックス機能を有する表示装置の接続構成を示している。図５において、インデックス信号を含む映像信号を送信するパーソナルコンピュータ（以下ＰＣという）であるインデックスＰＣ５０１から、インデックスを含んだ映像信号Ｓ１０８が表示装置５０２へ入力される。また、表示装置５０２，５０３，５０４はデイジーチェーンで接続されている。インデックスを含んだ映像信号Ｓ１０８がインデックスＰＣ５０１より表示装置５０２へ入力されると、表示装置５０２はその映像信号Ｓ１０８を表示装置５０３ヘ出力する。同様にして、表示装置５０３は映像信号Ｓ１０８を表示装置５０４へ出力し、さらに、表示装置５０４も次段の表示装置へ映像信号Ｓ１０８を出力する。従って、各表示装置５０２，５０３，５０４…はインデックスを含んだ映像信号Ｓ１０８を受信することができ、それぞれ、インデックス機能を正常に働かせることができる。
【０００３】
【発明が解決しようとする課題】
しかしながら、上記の特開２０００−３５２９６２号公報の技術では、インデックスを含んだ映像信号を表示するだけで、他のローカルＰＣのインデックスを含まない映像信号を表示することが出来ない。これを解決する方法として、ローカルＰＣの映像信号を表示するために入力端子を２つ設けた表示装置が知られている。図４は、入力端子を２つ設けてインデックス映像信号を出力する従来の表示装置の構成図である。図４において、表示装置４０１は、表示映像選択部１０４、制御部１０５、及び映像表示部１０６によって構成され、表示装置４０１にはローカル映像信号Ｓ１０７とインデックスを含んだ映像信号（以下、インデックス映像信号という）Ｓ１０８とが入力される。さらに、制御部１０５から表示映像選択部１０４へ制御信号Ｓ１０９が、表示映像選択部１０４から映像表示部１０６へ選択信号Ｓ１１０が、表示映像選択部１０４から次段の表示装置のモニタヘ出力信号Ｓ４０２が、それぞれ送信される。
【０００４】
次に図４における表示装置の動作について説明する。インデックスを含まないローカル映像信号Ｓ１０７とインデックス映像信号Ｓ１０８が表示映像選択部１０４へ入力される。すると、表示映像選択部１０４は、制御部１０５からの制御信号Ｓ１０９に基づいて選択信号Ｓ１１０を選択して映像表示部１０６へ送信する。これによって、映像表示部１０６は、選択信号Ｓ１１０に基づいて選択された映像信号を表示させることができる。しかし、次段の表示装置ヘ出力される出力信号Ｓ４０２は、映像表示部１０６へ送信される選択信号Ｓ１１０の一部が出力されているため、インデックス映像信号Ｓ１０８を選択していれば、出力信号４０２もインデックスを含むことになる。しかし、インデックスを含まないローカル映像信号１０７を選択していれば、出力信号Ｓ４０２にはインデックスを含まない信号が出力されることになる。
【０００５】
図６を用いてより具体的な説明を行う。図６は、２入力端子とｌ出力端子を設けたインデックス機能を有する従来の表示装置の接続図である。図６において、インデックスＰＣ５０１には、インデックス機能を有する表示装置６０１，６０２，６０３がデイジーチェーンで接続されている。さらに、各表示装置６０１，６０２，６０３には、それぞれ個別に、各個人が作業を行うローカルＰＣ６０７，６０８，６０９が接続されている。そして、各ローカルＰＣ６０７，６０８，６０９から対応する表示装置６０１，６０２、６０３へ、インデックス信号を付加しないローカル映像信号Ｓ６０４，Ｓ６０５，Ｓ６０６が入力される。一方、インデックスＰＣ５０１からのインデックス映像信号Ｓ１０８は、デイジーチェーンで接統された表示装置６０１，６０２，６０３へ出力信号Ｓ６１０，Ｓ６１１，Ｓ６１２として送信される。尚、図５と対応する部分には同一番号を付して重複する説明は省略する。図６に示すような表示装置の接続構成により、ユーザは共通のインデックス信号により情報を得てローカルＰＣ上で各自の作業を行う。図６では３台の表示装置とローカルＰＣがあるため、３人が作業していると想定できる。
【０００６】
次に、図６に示す表示装置の動作について説明する。インデックスを含んだインデックス映像信号Ｓ１０８がインデックスＰＣ５０１から表示装置６０１へ入力され、インデックスを含まないローカル映像信号Ｓ６０４がローカルＰＣ６０７から表示装置６０１へ入力される。表示装置６０１でインデックスを含むインデックス映像信号Ｓ１０８を表示しているときは、出力信号Ｓ６１０はインデックス映像信号Ｓ１０８そのものが出力されるが、表示装置６０１がローカルＰＣ６０７からのローカル映像信号Ｓ６０４を表示しようとすると、出力信号Ｓ６１０はローカル映像信号Ｓ６０４が出力されることになる。このため、表示装置６０２，６０３にはインデックス映像信号Ｓ１０８は入力されず、ローカルＰＣ６０７を使用しているユーザのローカル映像信号Ｓ６０４が表示されてしまう。同様なことが表示装置６０２の出力信号Ｓ６１１、表示装置６０３の出力信号Ｓ６１２についても云える。このため、前段でローカルＰＣの画面を表示すると、後段の表示装置ではインデックス機能が正常に動作しなくなるという不具合が生じる。
【０００７】
また、特開２０００−１４８０８０号公報には、２つの入力映像信号をそれぞれ次段へ出力し、２出力信号を同時に表示させるマルチディスプレイ表示装置が開示されている。しかし、この方法では、出力回路を２つ持つ必要があり経済的ではない。さらに、このようなマルチディスプレイによって多彩な表示画像を得ることができるが、マルチディスプレイを行うためには、異なる領域に表示データを取り込んで表示させなければならないので、多彩な表示画像にするほど表示領域が狭くなってしまうというトレイドオフの関係が発生してくる。
【０００８】
本発明は上記の問題を解決するためになされたもので、その目的とするところは、表示装置に表示させる映像信号を変更しても、インデックス信号を確実に次段ヘ出力することができる表示装置を提供することにある。
【０００９】
【課題を解決するための手段】
上記の目的を達成するため、本発明の映像表示装置は、複数の映像信号を入力して所望の映像信号を画面に表示させる映像表示装置において、画面に表示された映像信号の種類に関わらず、任意に選択された映像信号が外部に出力されることを特徴とする。つまり、本発明の映像表示装置によれば、複数の映像信号を入力した時でも表示装置の表示映像に関係なく、次段の表示装置ヘ別な映像信号を出力することができる。これによってマルチディスプレイと同様に多彩な映像信号を画面に表示させることができる。
【００１０】
また、本発明の映像表示装置は、複数の映像信号を入力して所望の映像信号を画面に表示させる映像表示装置において、複数の映像信号を入力する映像信号入力手段と、映像信号入力手段に入力された複数の映像信号から画面に表示させるための映像信号を選択する表示映像選択手段と、表示映像選択手段が選択した映像信号を画面に表示させる表示手段とを備えている。そして、映像信号入力手段は、表示手段に表示された映像信号に関わらず、あらかじめ設定した映像信号を外部へ出力することを特徴とする。つまり、本発明の映像表示装置によれば、表示装置の表示映像に関係なく別な映像信号を出力することができるので、一つの表示システムにおいて多彩な映像信号を表示させることができる。
【００１１】
また、本発明の映像表示装置は、複数の映像信号を入力して所望の映像信号を画面に表示させる映像表示装置において、入力された複数の映像信号より画面に表示させるための映像信号を選択する表示映像選択手段と、表示映像選択手段が選択した映像信号を画面に表示させる表示手段と、入力された複数の映像信号より所望の映像信号を選択して外部に出力させる出力信号選択手段とを備えている。そして、出力信号選択手段は、表示手段に表示された映像信号に関わらず、あらかじめ設定した映像信号を外部へ出力することを特徴とする。つまり、本発明の映像表示装置によれば、表示手段に表示された映像信号に関わらずユーザの所望する映像信号を選択して別の表示手段に表示させることができる。
【００１２】
また、本発明の映像表示装置は、さらに、入力された複数の映像信号の種類を判別する映像信号判別手段を備え、出力信号選択手段は、映像信号判別手段が判別した映像信号を外部へ出力することを特徴とする。つまり、本発明の映像表示装置によれば、あらかじめ所望の映像信号を判別するように映像信号判別手段に設定しておけば、ユーザがいちいち映像信号を選択しなくても、映像信号判別手段によって自動的にユーザの所望する映像信号を選択して出力させることができる。
【００１３】
また、本発明の映像表示装置は、映像信号判別手段は、任意の選択条件を設定することにより、映像信号の判別内容を自由に設定できることを特徴とする。つまり、本発明の映像表示装置によれば、ユーザの好みに応じて映像信号の判別内容を設定しておけば、常にユーザの好みに応じた映像信号を出力させることができる。
【００１４】
また、本発明の映像表示装置は、入力された複数の映像信号にはあらかじめ設定したインデックス信号を有するインデックス映像信号が含まれ、映像信号入力手段は、表示手段に表示された映像信号に関わらず、インデックス映像信号を外部へ出力することを特徴とする。つまり、本発明の映像表示装置によれば、複数の映像信号を入力した時でも表示装置の表示映像に関係なく、次段の表示装置ヘインデックスを含む信号のみを出力することができる。インデックス映像信号はインデックス専用入力部を介して次段の表示装置へ送信されるので、表示装置が種類の異なる複数の映像信号を入力したときでも、その表示装置に表示される表示映像に関係なく、次段の表示装置に対して確実にインデックスを含んだインデックス映像信号のみを出力することができる。また、これとは反対に、インデックスを含まない信号のみを出力することもできる。
【００１５】
また、本発明の映像表示装置は、入力された複数の映像信号にはあらかじめ設定したインデックス信号を有するインデックス映像信号が含まれ、出力信号選択手段は、表示手段に表示された映像信号に関わらず、インデックス映像信号を外部へ出力することを特徴とする。
【００１６】
つまり、本発明の映像表示装置によれば、出力信号選択部を設けて任意の映像信号を選択することにより、インデックス専用入力部を設けなくても、ユーザがインデックスを含む映像信号を出力信号として選択することにより、表示装置の表示映像の選択内容によらずに次段の表示装置ヘインデックスを含む信号を選択的に出力することができる。また、インデックス判別部を設ければ、出力信号にインデックスの含まれている信号をユーザが選択しなくても、インデックス判別部が、インデックスが含まれているか否かを自動判別するので、表示装置における表示映像の選択如何に関わらず、次段の表示装置ヘインデックスを含む映像信号を出力することもできる。
【００１７】
【発明の実施の形態】
以下、図面を用いて、本発明における表示装置の実施の形態の幾つかを詳細に説明する。
【００１８】
第１の実施の形態
図１は、本発明の第１の実施の形態におけるインデックス機能を有する表示装置の構成を示すブロック図である。図１において、表示装置１０１は、ローカル専用入力部１０２、インデックス専用入力部１０３、表示映像選択部１０４、制御部１０５、及び映像表示部１０６によって構成されている。つまり、図１に示す表示装置１０１の構成は、図４に示す従来の表示装置４０１の構成に対して、ローカル専用入力部１０２とインデックス専用入力部１０３とが追加されている。また、ローカル専用入力部１０２にはローカル映像信号Ｓ１０７が入力され、インデックス専用入力部１０３にはインデックスを含んだインデックス映像信号Ｓ１０８が入力される。さらに、制御部１０５から表示映像選択部１０４へ制御信号Ｓ１０９が、表示映像選択部１０４から映像表示部１０６へ選択信号Ｓ１１０が、インデックス専用入力部１０３から次段の表示装置のモニタヘ出力信号Ｓ１１１が、それぞれ送信される。
【００１９】
次に，上記構成による動作について説明する。ローカル映像信号Ｓ１０７がローカル専用入力部１０２へ入力され、インデックス映像信号Ｓ１０８がインデックス信号専用入力部１０３ヘ入力されると、各々からローカル映像信号Ｓ１０７とインデックス映像信号Ｓ１０８が共通の表示映像選択部１０４へ入力される。
【００２０】
ここで、ユーザが、スイッチ（図示せず）などによって表示装置１０１に表示させたい映像信号を選択すると、制御部１０５から表示映像選択部１０４へ制御信号Ｓ１０９が入力される。表示映像選択部１０４は、この制御信号Ｓ１０９に基づいて、ローカル映像信号Ｓ１０７かインデックス映像信号Ｓ１０８の何れかを出力信号Ｓ１１０として選択する。そして、選択された選択信号Ｓ１１０を映像表示部１０６で表示することによって、表示装置１０１の画面にはユーザが選択した映像が表示される。
【００２１】
一方、インデックス専用入力部１０３から次段の表示装置へ出力される出力信号Ｓ１１１は、インデックス専用入カ部１０３へ入力されたインデックス映像信号Ｓ１０８と同じ信号である。そのため、ユーザが、制御部１０５によってローカル映像信号Ｓ１０７とインデックス映像信号Ｓ１０８の何れの信号を選択して映像表示部１０６に表示させても、次段の表示装置へは確実にインデックス映像信号１０８を出力信号Ｓ１１１として出力させることができる。
【００２２】
このように、第１の実施の形態における表示装置の構成によれば、インデックス映像信号はインデックス専用入力部を介して次段の表示装置へ送信されるので、表示装置が種類の異なる複数の映像信号を入力したときでも、その表示装置に表示される表示映像に関係なく、次段の表示装置に対して確実にインデックスを含んだインデックス映像信号のみを出力することができる。
【００２３】
第２の実施の形態
図２は、本発明の第２の実施の形態におけるインデックス機能を有する表示装置の接続構成を示すブロック図であり、図１、図４と対応する部分には同一番号を付して重複する説明は省略する。図２において、表示装置２０１は、出力信号選択部２０２、表示映像選択部１０４、制御部２０７、及び映像表示部１０６によって構成されている。つまり、図２に示す表示装置２０１の構成は、図４に示す従来の表示装置４０１の構成に対して、出力信号選択部２０２が追加されている。また、出力信号選択部２０２と表示映像選択部１０４には映像信号Ｓ２０３，Ｓ２０４が入力され、さらに、制御部２０７から表示映像選択部１０４へ制御信号Ｓ１０９が、制御部２０７から出力信号選択部２０２へ出力選択信号Ｓ２０５が、表示映像選択部１０４から映像表示部１０６へ選択信号Ｓ１１０が、出力信号選択部２０２から次段の表示装置へ出力信号Ｓ２０６が、それぞれ送信される。
【００２４】
次に、上記構成による動作について説明する。映像信号Ｓ２０３と映像信号Ｓ２０４の２つの信号が表示映像選択部１０４へ入力される。ユーザが、表示装置２０１に表示したい映像をスイッチなどで選択すると、制御部２０７で制御信号Ｓ１０９が生成されて表示映像選択部１０４へ送信される。表示映像選択部１０４は、この制御信号Ｓ１０９に基づいて、映像信号Ｓ２０３か映像信号Ｓ２０４かの何れかを表示映像として選択する。選択された映像信号は選択信号Ｓ１１０として映像表示部１０６へ送信され、表示装置２０１にユーザが選択した映像が表示される。
【００２５】
また、映像信号Ｓ２０３と映像信号Ｓ２０４の２つの映像信号は出力選択部２０２へ入力される。ここで、ユーザが、スイッチなどによって次段の表示装置へ出力したい信号を選択することにより、制御部２０７から出力信号選択部２０２へ出力選択信号Ｓ２０５が送信される。これによって、ユーザは選択した映像信号Ｓ２０３，Ｓ２０４の何れかを出力信号Ｓ２０６として次段の表示装置へ出力することができる。
【００２６】
ここで、映像信号Ｓ２０３がインデックスを含むインデックス映像信号であり、映像信号Ｓ２０４がインデックスを含まないローカル映像信号であるとする。今、表示装置２０１の表示面面にインデックスを含むインデックス映像信号を表示させ、次段ヘの出力信号Ｓ２０６にインデックスを含むインデックス映像信号を出力させることを考える。ユーザが、スイッチなどで出力選択部２０２へ映像信号Ｓ２０３を選択する出力選択信号Ｓ２０５を出力すると、次段の表示装置への出力信号Ｓ２０６はインデックスを含む映像信号である映像信号Ｓ２０３が出力される。また、制御部２０７から表示映像選択部１０４へ、映像信号Ｓ２０３を選択する制御信号Ｓ１０９を出力することにより、映像表示部１０６へインデックスを含む映像信号Ｓ２０３を選択信号Ｓ１１０として出力し表示させることができる。
【００２７】
次に、表示装置２０１の映像画面にインデックスを含まない映像信号を表示させ、次段の表示装置ヘの出力信号Ｓ２０６にインデックスを含む映像信号を出力させることを考える。ユーザは、スイッチなどで出力信号選択部２０２へ映像信号Ｓ２０３を選択する出力選択信号Ｓ２０５を出力することにより、次段の表示装置への出力信号Ｓ２０６はインデックスを含む映像信号Ｓ２０３が出力される。
【００２８】
また、表示映像選択部１０４へ映像信号Ｓ２０４を選択する制御信号Ｓ１０９を出力することにより、映像表示部１０６にインデックスを含まない映像信号Ｓ２０４を表示することができる。さらに、映像信号Ｓ２０３がインデックスを含まないローカル映像信号であり、映像信号Ｓ２０４がインデックスを含む映像信号であるとする。今、表示装置２０１の映像画面にインデックスを含む映像信号を表示させ、次段の表示装置ヘの出力信号Ｓ２０６にインデックスを含む映像信号を出力させることを考える。ユーザは、スイッチなどで出力信号選択部２０２へ映像信号Ｓ２０４を選択する出力選択信号Ｓ２０５を出力することにより、次段の表示装置への出力信号Ｓ２０６はインデックスを含む信号が出力される。また、表示映像選択部１０４へ映像信号Ｓ２０４を選択する制御信号１０９を出力することにより、映像表示部１０６にインデックスを含む映像信号Ｓ２０４を表示することができる。
【００２９】
次に、表示装置２０１の映像画面にインデックスを含まない映像信号を表示させ、次段への出力信号にインデックスを含む映像信号を出力させることを考える。ユーザがスイッチなどで出力信号選択部２０２へ映像信号Ｓ２０４を選択する出力選択信号Ｓ２０５を出力すると、次段の表示装置への出力信号Ｓ２０６はインデックスを含む出力信号Ｓ２０６が出力される。また、表示映像選択部１０４ヘ映像信号Ｓ２０３を選択する制御信号Ｓ１０９を出力することにより、映像表示部１０６にインデックスを含まない映像信号Ｓ２０３を表示することができる。このように、出力信号選択部２０２を設けて任意の映像信号を選択することにより、第１の実施の形態のようにインデックス専用入力部を持たなくても、ユーザがインデックスを含む映像信号を出力信号Ｓ２０６として選択することにより、表示装置２０１の表示映像選択によらずに、次段の表示装置ヘインデックスを含む信号を出力することができる。
【００３０】
第３の実施の形態
図３は、本発明の第３の実施の形態におけるインデックス機能を有する表示装置の接続構成を示すブロック図であり、図１、図２、図４と対応する部分には同一番号を付して重複する説明は省略する。図３に示す表示装置３０１の構成は、図２に示す表示装置２０１の構成に対して、インデックス判別部３０２が追加されている。従って、図２の信号に対して、インデックス判別部３０２から出力信号選択部２０２へ送信されるインデックス判別信号Ｓ３０３が追加されている。
【００３１】
次に、上記構成による動作について説明する。映像信号Ｓ２０３と映像信号Ｓ２０４の２つの映像信号が表示映像選択部１０４へ入力される。ユーザが表示装置３０１に表示したい映像をスイッチなどで選択すると、制御部１０５によって制御信号Ｓ１０９が生成されて表示映像選択部１０４へ送信される。表示映像選択部１０４が、この制御信号Ｓ１０９によって表示映像を映像信号Ｓ２０３と映像信号Ｓ２０４の何れかに選択する。そして、選択された選択信号Ｓ１１０が映像表示部１０６へ送信され、表示装置３０１にユーザの選択した映像が表示される。
【００３２】
また、映像信号Ｓ２０３と映像信号Ｓ２０４の２つの映像信号はインデックス判別部３０２に入力される。ここで、インデックス判別部３０２は、２つの映像信号Ｓ２０３，Ｓ２０４のうちインデックスが含まれている方の映像信号を自動的に検出し、検出結果であるインデックス判別信号Ｓ３０３を出力信号選択部２０２ヘ送信する。一方、映像信号Ｓ２０３と映像信号Ｓ２０４の２つの映像信号が出力信号選択部２０２に入力されるが、インデックス判別信号Ｓ３０３の判別結果によって、出力信号選択部２０２からはインデックスが含まれる映像信号が出力信号Ｓ２０６として次段の表示装置へ出力される。
【００３３】
ここで、映像信号Ｓ２０３がインデックスを含む信号であり、映像信号Ｓ２０４がインデックスを含まないローカル信号であるとする。今、表示装置３０１の映像画面にインデックスを含む映像信号を表示させ、次段の表示装置への出力信号にインデックスを含む映像信号を出力させることを考える。前述のように、インデックスを自動判別することにより次段の表示装置への出力信号Ｓ２０６はインデックスを含む映像信号Ｓ２０３が出力される。また、表示映像選択部１０４ヘ映像信号Ｓ２０３を選択する制御信号Ｓ１０９を出力することにより、映像表示部１０６にインデックスを含む映像信号Ｓ２０３を表示させることができる。
【００３４】
次に、表示装置３０１の映像画面にインデックスを含まない映像信号を表示させ、次段の表示装置への出力信号Ｓ２０６にインデックスを含む映像信号を出力させることを考える。前述のように、インデックスを自動判別することにより次段の表示装置への出力信号Ｓ２０６は、インデックスを含む映像信号Ｓ２０３が出力される。また、表示映像選択部１０４へ映像信号Ｓ２０４を選択する制御信号Ｓ１０９を出力することにより、映像表示部１０６にインデックスを含まない映像信号Ｓ２０４を表示させることができる。
【００３５】
さらに、映像信号Ｓ２０３がインデックスを含まないローカル映像信号であり、映像信号Ｓ２０４がインデックスを含むインデックス映像信号であるとする。今、表示装置３０１の映像画面にインデックスを含む映像信号を表示させ、次段の表示装置への出力信号Ｓ２０６にインデックスを含む映像信号を出力させることを考える。前述のように、インデックスを自動判別することにより次段の表示装置ヘの出力信号Ｓ２０６はインデックスを含む映像信号Ｓ２０４が出力される。また、表示映像選択部１０４ヘ映像信号Ｓ２０４を選択する制御信号Ｓ１０９を出力することにより、映像表示部１０６にインデックスを含む映像信号Ｓ２０４を表示させることができる。
【００３６】
次に、表示装置３０１の映像画面にインデックスを含まない映像信号を表示させ、次段の表示装置への出力信号Ｓ２０６にインデックスを含む映像信号を出力させることを考える。前述のように、インデックスを自動判別することにより、次段の表示装置への出力信号Ｓ２０６はインデックスを含む映像信号Ｓ２０４が出力される。また、表示映像選択部１０４へ映像信号Ｓ２０３を選択する制御信号Ｓ１０９を出力することにより、映像表示部１０８にインデックスを含まない映像信号Ｓ２０３を表示することができる。
【００３７】
これにより、第２の実施の形態のように出力信号にインデックスが入力されている信号をユーザが選択しなくても、インデックス判別部３０２がインデックスが含まれているか否かを自動判別するので、表示装置３０１における表示映像の選択如何によらず、次段の表示装置ヘインデックスを含む映像信号を出力することができる。
【００３８】
以上述べた実施の形態は本発明を説明するための一例であり、本発明は、上記の実施の形態に限定されるものではなく、発明の要旨の範囲で種々の変形が可能である。例えば、第２の実施の形態及び第３の実施の形態において、映像表示部へ選択的に映像を表示させる選択信号や、次段の表示装置への出力信号の選択は、ユーザによるスイッチの選択操作で行う場合について述べたがこれに限るものではない。例えば、ＯＳＤ操作など他の代替手段を用いても同様な選択切り換えを行うことができる。また、各実施の形態においては、インデックスを含む映像信号を出力することを前提としたが、インデックスを含む映像信号とインデックスを含まない映像信号とを読みかえれば、インデックスを含まない映像信号を主体的に出力することも可能である。
【００３９】
さらに、各実施の形態においては表示装置への２入力を前提として述べたが、３入力以上の表示装置であっても、映像信号に対するラインを増やすことにより、同様な回路構成でインデックスを含む映像信号とインデックスを含まない映像信号とを任意に弁別して出力することもできる。
【００４０】
また、第３の実施の形態において、例えば、図３で映像信号Ｓ２０３，Ｓ２０４に、画素が１２８０ドット×１０２４ドットの信号と６４０ドット×４８０ドットの信号を入力するときに、インデックス判別部３０２の変わりに１２８０ドット×ｌ０２４ドットの信号判別部を設ければ、映像信号Ｓ２０３，Ｓ２０４の何れかに１２８０ドット×ｌ０２４ドットの信号が入力されていた場合でも、１２８０ドット×１０２４ドットの含まれる映像信号を自動的に選択して出力することができる。つまり、画素に相違のある映像信号を複数入力する際に、インデックス判別部３０２のかわりに信号間の相違を自動判別する機能を持たせることにより、それに対応した信号のみを自動的に抽出して出力することができる。さらに、上記信号間の相違を自動判別する機能において、判別内容を自由に設定できるよう設けることにより、ユーザが好きな条件を設定すれば、ユーザが所望する映像信号を出力して表示させることができる。
【００４１】
【発明の効果】
以上説明したように、本発明の映像表示装置によれば、複数の映像信号を入力した時でも表示装置の表示映像に関係なく、次段の表示装置ヘインデックスを含む信号のみを出力することができる。つまり、インデックス映像信号はインデックス専用入力部を介して次段の表示装置へ送信されるので、表示装置が種類の異なる複数の映像信号を入力したときでも、その表示装置に表示される表示映像に関係なく、次段の表示装置に対して確実にインデックスを含んだインデックス映像信号のみを出力することができる。また、これとは反対に、インデックスを含まない信号のみを出力することもできる。
【００４２】
さらに、本発明の映像表示装置によれば、出力信号選択部を設けて任意の映像信号を選択することにより、インデックス専用入力部を設けなくても、ユーザがインデックスを含む映像信号を出力信号として選択することにより、表示装置の表示映像の選択内容によらずに次段の表示装置ヘインデックスを含む信号を選択的に出力することができる。また、インデックス判別部を設ければ、出力信号にインデックスの含まれている信号をユーザが選択しなくても、インデックス判別部がインデックスが含まれているか否かを自動判別するので、表示装置における表示映像の選択如何に関わらず、次段の表示装置ヘインデックスを含む映像信号を出力することもできる。
【図面の簡単な説明】
【図１】本発明の第１の実施の形態におけるインデックス機能を有する表示装置の構成を示すブロック図である。
【図２】本発明の第２の実施の形態におけるインデックス機能を有する表示装置の構成を示すブロック図である。
【図３】本発明の第３の実施の形態におけるインデックス機能を有する表示装置の構成を示すブロック図である。
【図４】入力端子を２つ設けてインデックス映像信号を出力する従来の表示装置の構成図である。
【図５】インデックス映像信号を出力する従来の表示装置を示す構成図である。
【図６】２入力端子とｌ出力端子を設けたインデックス機能を有する従来の表示装置の接続図である。
【符号の説明】
１０１，２０１，３０１，４０１，５０２，５０３，５０４、６０１，６０２，６０３…表示装置、１０２…ローカル専用入力部、１０３…インデックス専用入力部、１０４…表示映像選択部、１０５，２０７…制御部、１０６…映像表示部、２０２…出力信号選択部、３０２…インデックス判別部、５０１…インデックスＰＣ、６０７，６０８，６０９…ローカルＰＣ、Ｓ１０７，Ｓ６０４，Ｓ６０５，Ｓ６０６…ローカル映像信号、Ｓ１０８、Ｓ２０３，Ｓ２０４…インデックス映像信号（映像信号）、Ｓ１０９…制御信号、Ｓ１１０…選択信号、Ｓ１１１，Ｓ２０６，Ｓ４０２、Ｓ６１０，Ｓ６１１，Ｓ６１２…出力信号、Ｓ２０５…出力選択信号、Ｓ３０３…インデックス判別信号
【図１】
2004029434.tif 000003
【図２】
2004029434.tif 000004
【図３】
2004029434.tif 000005
【図４】
2004029434.tif 000006
【図５】
2004029434.tif 000007
【図６】
2004029434.tif 000008
【手続補正書】
【提出日】平成15年8月20日(2003.8.20)
【手続補正１】
【補正対象書類名】明細書
【補正対象項目名】００２６
【補正方法】変更
【補正の内容】
【００２６】
ここで、映像信号Ｓ２０３がインデックスを含むインデックス映像信号であり、映像信号Ｓ２０４がインデックスを含まないローカル映像信号であるとする。今、表示装置２０１の表示画面にインデックスを含むインデックス映像信号を表示させ、次段ヘの出力信号Ｓ２０６にインデックスを含むインデックス映像信号を出力させることを考える。ユーザが、スイッチなどで出力選択部２０２へ映像信号Ｓ２０３を選択する出力選択信号Ｓ２０５を出力すると、次段の表示装置への出力信号Ｓ２０６はインデックスを含む映像信号である映像信号Ｓ２０３が出力される。また、制御部２０７から表示映像選択部１０４へ、映像信号Ｓ２０３を選択する制御信号Ｓ１０９を出力することにより、映像表示部１０６へインデックスを含む映像信号Ｓ２０３を選択信号Ｓ１１０として出力し表示させることができる。


【手続補正２】
【補正対象書類名】明細書
【補正対象項目名】００３６
【補正方法】変更
【補正の内容】
【００３６】
次に、表示装置３０１の映像画面にインデックスを含まない映像信号を表示させ、次段の表示装置への出力信号Ｓ２０６にインデックスを含む映像信号を出力させることを考える。前述のように、インデックスを自動判別することにより、次段の表示装置への出力信号Ｓ２０６はインデックスを含む映像信号Ｓ２０４が出力される。また、表示映像選択部１０４へ映像信号Ｓ２０３を選択する制御信号Ｓ１０９を出力することにより、映像表示部１０６にインデックスを含まない映像信号Ｓ２０３を表示することができる。